(57)【要約】【課題】撮影者の眼の位置によらず、視野がケラレない撮像装置を提供すること。【解決手段】被写体を撮像する撮像部（３）と、撮像部（３）によって撮像された撮影画像および撮影情報を表示可能な表示部（５）と接眼レンズ（６）を含んだ電子ビューファインダ（１０）と、撮影者の眼の位置を検出する眼の位置検出手段（８）を有する撮像装置（１００）において、前記検出手段（８）によって検出した検出結果に基づいて撮影画像および撮影情報の少なくとも一方の表示倍率を調整する調節手段を含み、前記調節手段は、前記検出手段（８）によって検出した検出結果が大きくなるのに応じてファインダ用表示部に表示された撮影画像および撮影情報の少なくとも一方の表示倍率を低くすることを特徴とする。【選択図】図３
2016058983.tif 000002
【特許請求の範囲】
【請求項１】
被写体を撮像する撮像部（３）と、
撮像部（３）によって撮像された撮影画像および撮影情報を表示可能な表示部（５）と接眼レンズ（６）を含んだ電子ビューファインダ（１０）と、
撮影者の眼の位置を検出する眼の位置検出手段（８）を有する撮像装置（１００）において、
前記検出手段（８）によって検出した検出結果に基づいて撮影画像および撮影情報の少なくとも一方の表示倍率を調整する調節手段を含み、
前記調節手段は、前記検出手段（８）によって検出した検出結果が大きくなるのに応じてファインダ用表示部に表示された撮影画像および撮影情報の少なくとも一方の表示倍率を低くすることを特徴とした撮像装置（１００）。
【請求項２】
前記調整手段は、撮像装置（１００）によって自動調整されることを特徴とする請求項１に記載の撮像装置（１００）。
【請求項３】
前記検出手段の判別にあわせて前記電子ビューファインダ（１０）の表示/非表示を切り替えることを特徴とする請求項１に記載の撮像装置（１００）。
【請求項４】
前記電子ビューファインダ（１０）で再生する再生画像についても、前記調整手段を適用することを特徴とする請求項１に記載の撮像装置（１００）。
【発明の詳細な説明】
【技術分野】
【０００１】
本発明は、電子ビューファインダを搭載した撮像装置に関し、特に電子ビュー被写体像の表示に関する。
【背景技術】
【０００２】
デジタル一眼レフカメラなどの撮像装置において、撮影レンズを通った光を反射鏡を用いて反射させ、スクリーン上に結像させた像を撮影者が覗きながら撮影するための光学ファインダ（Ｏｐｔｉｃａｌ  Ｖｉｅｗ  Ｆｉｎｄｅｒ）を備えたものがある。しかしながら、光学ファインダは複数の光学部材を備えているため、カメラが大きくなる、重量が重くなるという傾向がある。
【０００３】
これに対して、近年では、前期複数の光学部材を省略することで、小型軽量化が実現可能である、被写体像を液晶表示する電子ビューファインダ（Ｅｌｅｃｔｒｏｎｉｃ  Ｖｉｅｗ  Ｆｉｎｄｅｒ）の撮像装置が多数普及している。
【０００４】
通常、撮影者がファインダを用いた撮影を行う際、視野の全域が快適に視認可能であるファインダ接眼枠から撮影者の眼までの距離、すなわちアイポイントが撮像装置の取扱い説明書等に記載されている。
【０００５】
図５は各撮影状態を示した図であり、（ａ）−１、（ｂ）−１、（ｃ）−１は眼鏡を使用しない撮影者がファインダを用いた撮影を行う状態、（ａ）−２、（ｂ）−２、（ｃ）−２はたとえば眼鏡を装着した撮影者がファインダを用いた撮影を行う状態を示した図である。このように、眼鏡を装着した撮影者がファインダを用いた撮影を行う場合、眼鏡を装着したことによって、１０１で示すＡの距離の分、ファインダ接眼枠から撮影者の眼までの距離が長くなる状況が発生する。
【０００６】
その結果、接眼枠１０２が撮影者の眼１０５とファインダ用表示部１０３の光路を遮ることで視野がかける現象、いわゆるケラレ１０４（ｂ）〜（ｄ）が発生する恐れがある。このような状況で撮影を行う場合、被写体像のケラレる領域を確認するために撮影者が眼をシフトする必要がある。
【０００７】
しかし、ケラレる領域は特に四隅（１０４（ｂ）、（ｃ））で発生することが多いため、その都度眼を四隅へシフトして構図を決めていては撮影タイミングを逃してしまう恐れがある。また、撮影者がケラレに気づかずに撮影を続けてしまった場合、意図しない被写体が写りこんでしまい、ファインダ内の下端に撮影情報が表示された撮像装置の場合、意図しない撮影モードで撮影を続けてしまう恐れがある。
【０００８】
このような課題に対して、アイポイントが長く設定された撮像装置が存在する。しかしこの場合、限られた接眼枠サイズでアイポイントを長く設定すると、被写体像が接眼枠でケラレないようにするために被写体像を小さくしなければならない。すなわち、ファインダ倍率を一律下げる必要があるため、被写体像の見易さが低下する問題が生じる。
【０００９】
撮影者の眼の位置が変化した場合に対応する手段として、特許文献１では、撮影者の眼の位置を検出して、カメラの撮影倍率を調整する手段を有した携帯端末が開示されている。これによると、携帯端末の表示画面に対する撮影者の眼の位置を検出し、眼の位置から表示画面までの距離Ｄ１および、カメラから被写体までの距離Ｄ２を測定し、測定結果に基づいてカメラの撮影倍率を調整する。
【００１０】
なお、眼の位置を検出する手段は携帯端末に内蔵されたカメラによる顔画像認識機能を用いており、眼の位置から表示画面までの距離Ｄ１はカメラのオートフォーカス機能や赤外線の反射を利用した方法を用いている。カメラの撮影倍率の調整方法としては、携帯端末の表示画面で被写体が隠れる範囲を撮像幅Ｓとし、その撮像幅Ｓの範囲を撮像するようにカメラの撮影倍率を変更している。また、ケラレを回避するための手段として、特許文献２では、トリミングを行うことで視野枠を小さくする手段が開示されている。
【先行技術文献】
【特許文献】
【００１１】
【特許文献１】特開２０１２−０８０１９３号公報
【特許文献２】特願平５−１９３３３号公報
【発明の概要】
【発明が解決しようとする課題】
【００１２】
しかしながら、上述の特許文献１に開示された従来技術では、撮影者の眼の位置が変化した場合においても、眼の位置を測距することは有効な手段であるが、測距結果を用いて撮影倍率を調整するという点で、今回のケラレ問題の解決にはならない。また、特許文献２に開示された従来技術では、所望の被写体が視野枠の端に存在する場合には、視野枠をトリミングすることで被写体が視野枠から外れてしまう可能性が考えられる。
【００１３】
そこで、本発明の目的は、撮影者の眼の位置によらず、視野がケラレない撮像装置を提供することである。
【課題を解決するための手段】
【００１４】
上記目的を達成するために、本発明の撮像装置は、
被写体を撮像する撮像部と、
撮像部によって撮像された撮影画像および撮影情報を表示可能な表示部と接眼レンズを含んだ電子ビューファインダと、
撮影者の眼の位置を検出する眼の位置検出手段を有する撮像装置において、
前記検出手段によって検出された検出結果に基づいて撮影画像および撮影情報の少なくとも一方の表示倍率を調整する調節手段を含み、
前記調節手段は、前記検出手段によって検出された検出結果が大きくなるのに応じてファインダ用表示部に表示された撮影画像および撮影情報の少なくとも一方の表示倍率を低くすることを特徴とする。
【発明の効果】
【００１５】
本発明によれば、撮影者の眼の位置によらず、視野がケラレない撮像装置の提供を実現
することができる。
【図面の簡単な説明】
【００１６】
【図１】本発明の実施形態に係る撮像装置の構成図
【図２】本発明の実施形態に係る撮像装置のブロック図
【図３】本発明の実施形態に係る撮像装置において行われる撮像手順を示すフローチャート
【図４】本発明の実施形態に係る効果の説明図
【図５】従来の課題の説明図
【発明を実施するための形態】
【００１７】
以下に、本発明の好ましい実施の形態を、添付の図面に基づいて詳細に説明する。
【００１８】
図１は、本発明の実施形態に係る撮像装置の概略構成を示す断面図である。図１に示すように、撮像装置１００にはマウント１を介して撮影光学系を有する撮影レンズユニット２が着脱可能に装着されている。なお、撮影光学系を有する撮影レンズユニット２は交換可能ではなく、撮像装置１００に一体的に固定されていてもよい。
【００１９】
撮像装置１００には、シャッタ９、および、撮像部３が配設されている。撮影レンズユニット２で集光された撮影被写光は、シャッタ９に設置された先幕９ａ、後幕９ｂとをスリット走行させることで、光束の露出制御が行われる。その後、シャッタを通過した光束は撮像部３へ導かれる。
【００２０】
撮像部３には、撮影光学系を通過した被写体像（光学像）が結像し、撮像部３は、光電変換によって光学像に応じた電気信号（アナログ信号または画像信号）を出力する。撮像部３としては、例えば、ＣＭＯＳ（Ｃｏｍｐｌｅｍｅｎｔａｒｙ  ＭＯＳ）センサが用いられる。なお、ＣＭＯＳセンサの代わりにＣＣＤ（Ｃｈａｒｇｅ  Ｃｏｕｐｌｅ  Ｄｅｖｉｃｅ）センサなどの他の撮像デバイスを用いるようにしてもよい。
【００２１】
撮像装置１００には、撮影者が被写体を観察しながら撮影するために用いられる接眼部が設けられており、本実施例では、ファインダ用表示部５と接眼レンズ６から構成されている電子ビューファインダ１０となっている。
【００２２】
ファインダ用表示部５は撮影レンズユニット２によって撮像部３に導かれた撮影被写界像が光電変換処理された後に表示される。表示された撮影被写界像は接眼レンズ６を通して、撮影者が容易に撮影被写界を見ることが可能である。電子ビューファインダ１０の後方には、接眼枠７が配置されている。
【００２３】
接眼枠７は、撮影者がファインダを覗いた際、ファインダ用表示部５がケラレることなく視認可能であり、かつ外光が入射して視界を妨げることを防止するために最適なサイズとなっている。接眼枠後方には本実施例の特徴を示す、撮影者の眼の位置を検出するための眼の位置検出手段８が配設されている。
【００２４】
本実施例において、眼の位置検出手段８は、接眼枠７の妨げにならないよう、接眼枠７より撮影者側に配設されている。しかしながら、眼の位置検出手段８の配設箇所についてはこの限りではない。
【００２５】
なお、眼の位置検出手段８による眼の位置の検出方法については、公知の技術である、画像認識機能やカメラのオートフォーカス機能、赤外線の反射を利用した方法を用いている。接眼枠の下に配置されるＴＦＴモニター４は、ＴＦＴカラー液晶などを用いた外部表示装置であり、撮影直後のプレビュー画像や、すでに撮像装置内の記録部に記録されている画像を確認する際に用いる。
【００２６】
図２は、本発明の実施形態に係る撮像装置の概略構成を示すブロック図である。図２において、撮像装置１００は、カメラマイコン２１、ＲＯＭ２２、ＲＡＭ２３、撮像部３、画像処理部２５、記録部２６、ＴＦＴモニター４、操作部２８、電子ビューファインダ１０、眼の位置検出手段８を具備している。カメラマイコン２１は、撮像装置１００のシステム制御を行うマイクロコンピュータである。
【００２７】
ＲＯＭ２２、ＲＡＭ２３はデータを保持する領域を持つ。ＲＯＭ２２は不揮発性のメモリであり、ＲＡＭ２３は揮発性メモリである。ＲＯＭ２２には、カメラマイコン２１が動作するためのプログラムが記録されている。ＲＡＭ２３は、カメラマイコン２１が撮像装置１００を制御する際、作業領域として使用される。また、撮像装置１００がどのような設定をされているか、どのように動作しているかなどを示す本体情報を保持する。
【００２８】
ＲＡＭ２３に保存される設定情報としては、撮像装置１００が録画モードで動作しているか、再生モードで動作しているかなどのモード情報などがある。
【００２９】
撮像部３は、被写体をデータ信号に変換し、マイコン２１からの指示により画像データを生成し、画像処理部２５へ出力する。
【００３０】
画像処理部２５は、撮像部３で生成された画像データのリサイズや輝度補正、映像圧縮などを行い、記録部２６に出力する。記録部２６は、画像処理部で得られた画像データを記録する。記録部２６としては例えば、ＳＤカード、ＦＬＡＳＨメモリ、ハードディスクなどがあげられる。
【００３１】
ＴＦＴモニター４は、例えば液晶ディスプレイなどにより構成される。ＴＦＴモニター４には、撮像部３で撮影された画像データや、撮像装置１００の設定アイコンなどが表示される。操作部２８は、撮像部３による撮影や、電源のＯＮ/ＯＦＦの切り替え信号をカメラマイコン２１に出力する。
【００３２】
電子ビューファインダ１０は、撮影中の被写体像を接眼枠を通してみることができるようにするもので、撮影された画像データや撮影情報の表示も行う。
【００３３】
眼の位置検出手段８は、撮影者の眼の位置を測定するものであり、測定した値と撮像装置１００のアイポイント規格を比較し、電子ビューファインダ１０に表示された被写体像および撮影情報表示部の倍率の変更指示を行うか否かを判断するのに用いる。なお、前記比較の詳細内容については後述する。
【００３４】
次に、図３に示すフローチャートを用いて、上記構成からなる撮像装置を用いた本実施例の撮像手順について説明する。
【００３５】
まず始めに、ファインダ内に設けられた撮影者の眼の位置を検出する眼の位置検出手段８を有する撮像装置１００において、眼の位置検出手段８により撮影状態がファインダを用いた撮影方法、いわゆる、ファインダ撮影モードとなっているか判断される（ステップＳ１０１）。
【００３６】
ここで、眼の位置検出手段８により眼の位置が検出されなかった場合は、撮影状態がファインダ撮影モードでないと判断され、撮像装置１００の背面に配設されたＴＦＴモニター４を用いた撮影方法、いわゆる、ＴＦＴ撮影モードへと移行する。
【００３７】
ＴＦＴ撮影モードへ移行した場合には、電子ビューファインダ１０のファインダ用表示部５を使用することはないため、節電のため非表示状態とする。ただし、本実施例の効果を得るためには、眼の位置検出手段８により眼の位置が検出されるまでステップＳ１０１を繰り返す。
【００３８】
ステップＳ１０１によってファインダ撮影モードと判断された場合、その直後に電子ビューファインダ１０内に設置されたファインダ用表示部５が表示状態となる（ステップＳ１０２）。再び眼の位置検出手段８によって、ファインダ接眼枠７から撮影者の眼までの距離を測距するステップＳ１０３へと移行する。
【００３９】
なお、撮像装置１００には、それぞれ、視野の全域が快適に視認可能となるよう、取扱い説明書等に、ファインダ接眼枠７から撮影者の眼までの距離、すなわちアイポイントの記載がなされている。
【００４０】
一般的に撮影者の眼の位置が撮像装置１００に規定されたアイポイントから遠ざかってしまった場合、ファインダの四隅やファインダ内に設けられた各種撮影情報表示のケラレが発生しやすくなる。
【００４１】
そこで、ステップＳ１０３で測距した撮影者の眼の位置と撮像装置に規定されたアイポイントの比較を行うステップＳ１０４へと移行する。ここで、本実施例における眼の位置検出手段８は、接眼枠７近傍に配設されている。
【００４２】
このため、本実施例におけるステップＳ１０４は、眼の位置検出手段８によって測距された値に、ファインダ接眼枠７から眼の位置検出手段８までの距離を加算した値とアイポイントを比較することとなる。
【００４３】
ステップＳ１０４で撮影者の眼の位置が撮像装置１００のアイポイントより長いと判定された場合、前述の通り、一般的な撮像装置の場合、ケラレが発生しやすくなる。
【００４４】
このため、本実施例においては、ケラレを回避するために、被写体像や撮影情報表示倍率を縮小するステップＳ１０５へと移行する。これにより被写体像や撮影情報表示がケラレずに快適な撮影を行うことが可能となる。
その後、通常の撮影操作へと移行する。
【００４５】
一方、ステップＳ１０４において、前述した撮像装置の説明書等に記載された所定のアイポイントに収まっていると判定された場合、被写体像のケラレは発生しないため、被写体像や撮影情報表示倍率の調整は行わないステップＳ１０６へ移行する。その後、通常の撮影操作へと移行する。
【００４６】
ここで、本実施例における特徴的な手段である、被写体像や撮影情報表示倍率を縮小するステップＳ１０５の効果について図４（ａ）〜（ｃ）を用いて説明する。
【００４７】
図４（ａ）は、ファインダ用表示部５に表示された被写体像および撮影情報表示倍率をともに縮小したものである。これによると、通常の撮像装置では図５（ｃ）−２に示すように、被写体像の四隅（１０４（ｂ）、１０４（ｃ））や下端部（１０４（ｄ））にケラレが発生していたものが、被写体像の隅々までケラレることなく視認可能となっている。
【００４８】
本実施例では、被写体像の表示倍率を一律一定倍率で縮小するのではなく、撮影者の眼の位置を測距すると同時に、撮像装置に規定されたアイポイントとの比較を行うことで、撮影者の眼の位置によって常に被写体像が最適な表示倍率になるよう自動調整を行う。これにより、被写体像の表示倍率の低下を最小限に抑えることが可能となることで、被写体像の見易さに対する影響を最小限に抑えることが可能である。
【００４９】
図４（ｂ）、（ｃ）は、ファインダ用表示部５に表示された被写体像、若しくは撮影情報表示のいずれかの表示倍率を縮小したものである。図４（ｂ）はファインダ用表示部５に表示された被写体像のみ縮小表示したものであり、被写体像の隅々まで集中して撮影を行いたいユーザ向けの設定となっている。図４（ｃ）はファインダ用表示部５に表示された撮影情報表示のみ縮小表示したものであり、ファインダの見易さを重視し、かつ、撮影情報の確認を念入りに行いたいユーザ向けの設定となっている。
【００５０】
図４（ａ）〜（ｃ）のモード選択はいずれも撮影者が撮像装置１００を介して設定可能となっている。
【００５１】
なお、これまで撮影状態におけるケラレ対策について述べてきたが、本実施例は特に撮影状態に限らず、例えばあらかじめ撮影した画像をファインダ用表示部５を用いて再生表示する際にも適用される。
【００５２】
以上、本発明の好ましい実施形態について説明したが、本発明はこれらの実施形態に限定されず、その要旨の範囲内で種々の変形及び変更が可能である。
【符号の説明】
【００５３】
３  撮像部、７  接眼枠、８  眼の位置検出手段、１０  電子ビューファインダ、
１００  撮像装置
【図１】
2016058983.tif 000003
【図２】
2016058983.tif 000004
【図３】
2016058983.tif 000005
【図４】
2016058983.tif 000006
【図５】
2016058983.tif 000007